(57)【要約】【課題】第１の対物レンズ３８および第２の対物レンズ４８間の相対チルトを簡単な構成で低減する。一方の対物レンズが汎用品である場合に、それを容易に利用可能とする。【解決手段】互いに別体からなる第１の対物レンズ３８および第２の対物レンズ４８は、レンズホルダ２４にて並べて保持される。このレンズホルダ２４は、第１の対物レンズ３８のコバ面を受ける第１レンズ受け面２４１ａと、第２の対物レンズ４８のコバ面を受ける第２レンズ受け面２４２ａとを有している。第１レンズ受け面２４１ａと第２レンズ受け面２４２ａとは、同一平面で構成される。これにより、第１の対物レンズ３８の光軸ＡＸ１および第２の対物レンズ４８の光軸ＡＸ２は、第１の対物レンズ３８の第１レンズ受け面２４１ａへの設置、および第２の対物レンズ４８の第２レンズ受け面２４２ａへの設置と同時に互いに平行となり、相対チルトは自動的に無くなる。【選択図】図７
2008077721.tif 000002
【特許請求の範囲】
【請求項１】
レーザ光を出射する複数の光源と、
各光源から出射されるレーザ光を、用いる光記録媒体の記録面上に集光させる複数の対物レンズを保持する対物レンズアクチュエータとを備え、
前記複数の光源が、
赤外レーザ光を出射する赤外レーザ光源と、
赤色レーザ光を出射する赤色レーザ光源と、
青色レーザ光を出射する青色レーザ光源とを備え、
前記対物レンズアクチュエータが、
前記赤外レーザ光をＣＤメディアの記録面に集光させるとともに、前記赤色レーザ光をＤＶＤメディアの記録面に集光させる第１の対物レンズと、
前記第１の対物レンズとは別体で構成され、前記青色レーザ光をブルーレイディスクメディアの記録面に集光させる第２の対物レンズと、
前記第１の対物レンズと前記第２の対物レンズとを並べて保持するとともに、フォーカス用コイルおよびトラッキング用コイルを有するレンズホルダと、
永久磁石およびヨークを備えた基板上に立設される支持部材と、
一端が前記支持部材と接続される一方、他端が前記フォーカス用コイルおよび前記トラッキング用コイルと接続され、前記基板に対して前記レンズホルダを揺動可能に支持するとともに、前記フォーカス用コイルおよび前記トラッキング用コイルに電力を供給する複数本の金属線とを備えた光ピックアップであって、
前記対物レンズアクチュエータの前記レンズホルダは、
前記第１の対物レンズのコバ面と当接することによって前記第１の対物レンズを受ける第１レンズ受け面と、
前記第２の対物レンズのコバ面と当接することによって前記第２の対物レンズを受ける第２レンズ受け面とからなっており、
前記第１レンズ受け面と前記第２レンズ受け面とは、同一平面で構成されていることを特徴とする光ピックアップ。
【請求項２】
互いに別体で構成される複数の対物レンズと、
前記複数の対物レンズを並べて保持するレンズホルダと、
用いる光記録媒体に対応する対物レンズを介して前記光記録媒体の記録面上の所定トラックに光ビームが集光するように、前記レンズホルダを移動させる駆動手段とを備えた対物レンズアクチュエータにおいて、
前記レンズホルダは、前記複数の対物レンズの各々のコバ面と当接することによって各対物レンズを受ける複数のレンズ受け面を有しており、
前記複数のレンズ受け面は、同一平面で構成されていることを特徴とする対物レンズアクチュエータ。
【請求項３】
前記複数の対物レンズは、
第１および第２の光記録媒体の記録面上に光ビームを集光させる第１の対物レンズと、
第３の光記録媒体の記録面上に光ビームを集光させる第２の対物レンズとからなっており、
前記複数のレンズ受け面は、
前記第１の対物レンズのコバ面と当接することによって前記第１の対物レンズを受ける第１レンズ受け面と、
前記第２の対物レンズのコバ面と当接することによって前記第２の対物レンズを受ける第２レンズ受け面とからなっていることを特徴とする請求項２に記載の対物レンズアクチュエータ。
【請求項４】
互いに別体で構成される複数の対物レンズと、
前記複数の対物レンズを並べて保持するレンズホルダと、
用いる光記録媒体に対応する対物レンズを介して前記光記録媒体の記録面上の所定トラックに光ビームが集光するように、前記レンズホルダを移動させる駆動手段とを備えた対物レンズアクチュエータにおいて、
前記レンズホルダは、前記複数の対物レンズのいずれかのコバ面と当接することによってその対物レンズを受けるレンズ受け面と、残りの対物レンズをスペーサを介して保持したときに、前記スペーサと当接することによって前記スペーサを受けるスペーサ受け面とを有しており、
前記レンズ受け面と前記スペーサ受け面とは、同一平面で構成されていることを特徴とする対物レンズアクチュエータ。
【請求項５】
前記スペーサは、保持する対物レンズのコバ面と当接するレンズ側当接面と、前記レンズホルダのスペーサ受け面と当接するホルダ側当接面とを有しており、
前記レンズ側当接面と前記ホルダ側当接面とは、平行であることを特徴とする請求項４に記載の対物レンズアクチュエータ。
【請求項６】
互いに別体で構成される複数の対物レンズと、
前記複数の対物レンズを並べて保持するレンズホルダと、
用いる光記録媒体に対応する対物レンズを介して前記光記録媒体の記録面上の所定トラックに光ビームが集光するように、前記レンズホルダを移動させる駆動手段とを備えた対物レンズアクチュエータにおいて、
前記複数の対物レンズは、同一のスペーサを介して前記レンズホルダにて並べて保持され、
前記レンズホルダは、前記スペーサと当接することによって前記スペーサを受けるスペーサ受け面を有しており、
前記スペーサ受け面は、一続きの面であることを特徴とする対物レンズアクチュエータ。
【請求項７】
前記スペーサは、保持する複数の対物レンズのコバ面と当接するレンズ側当接面と、前記レンズホルダのスペーサ受け面と当接するホルダ側当接面とを有しており、
前記レンズ側当接面と前記ホルダ側当接面とは、平行であることを特徴とする請求項６に記載の対物レンズアクチュエータ。
【請求項８】
前記レンズホルダに設けられるフォーカス用コイルおよびトラッキング用コイルと、
永久磁石およびヨークを備えた基板上に立設される支持部材と、
一端が前記支持部材と接続される一方、他端が前記フォーカス用コイルおよび前記トラッキング用コイルと接続され、前記基板に対して前記レンズホルダを揺動可能に支持するとともに、前記フォーカス用コイルおよび前記トラッキング用コイルに電力を供給する複数本の金属線とを備えていることを特徴とする請求項２から７のいずれかに記載の対物レンズアクチュエータ。
【請求項９】
前記レンズホルダは、該レンズホルダを貫通する回転軸に対して摺動可能かつ回動可能に支持されていることを特徴とする請求項２から７のいずれかに記載の対物レンズアクチュエータ。
【請求項１０】
複数の光記録媒体に対応する波長の光ビームを出射する複数の光源と、
各光源から出射される光ビームを、用いる光記録媒体の記録面上に集光させる複数の対物レンズを保持する対物レンズアクチュエータとを備えた光ピックアップにおいて、
前記対物レンズアクチュエータは、請求項２から９のいずれかに記載の対物レンズアクチュエータで構成されていることを特徴とする光ピックアップ。
【発明の詳細な説明】
【技術分野】
【０００１】
本発明は、複数の対物レンズを並べて保持した対物レンズアクチュエータと、それを備えた光ピックアップとに関するものである。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体（次世代光ディスク）も実用化されつつある。
【０００３】
このような光記録媒体に対して情報の記録や再生（読み取り）を行うにあたっては、光源から出射される光ビームを対物レンズによって光記録媒体の記録面に集光させる光ピックアップが用いられる。このとき、用いる光記録媒体の種類によって、対物レンズの開口数（ＮＡ）や光源から出射される光ビームの波長は異なる。例えば、用いる光記録媒体がＣＤの場合には、対物レンズのＮＡは０．５０で、光ビームの波長は７８０ｎｍであり、用いる光記録媒体がＤＶＤの場合には、対物レンズのＮＡは０．６５で、光ビームの波長は６５０ｎｍである。また、用いる光記録媒体がＨＤ−ＤＶＤの場合には、対物レンズのＮＡは０．６５で、光ビームの波長は４０５ｎｍである。さらに、用いる光記録媒体がＢＤの場合には、対物レンズのＮＡは０．８５で、光ビームの波長は４０５ｎｍである。
【０００４】
このように、用いる光記録媒体の種類によって対物レンズのＮＡや光ビームの波長が異なるため、用いる光記録媒体に対応した対物レンズや光源を有する光ピックアップ装置を用いれば、各光記録媒体に対する情報の記録や再生を確実に行うことができる。しかし、１つの光ピックアップで複数種類の光記録媒体に対する情報の記録や再生が実現できれば便利であり、近年では、そのような光ピックアップが多く開発されている。そして、最近では、例えば、ＣＤ、ＤＶＤ、ＨＤ−ＤＶＤの３種類や、ＣＤ、ＤＶＤ、ＢＤの３種類の光記録媒体について、１つの対物レンズで対応できる光ピックアップ装置も出現している。
【０００５】
しかし、複数種類の光記録媒体に対して１つの対物レンズで対応する場合、一般的に、収差補正を考慮した対物レンズの設計が難しくなり、高価となる。そして、例えば、ＣＤ、ＤＶＤ、ＨＤ−ＤＶＤ、ＢＤの４種類に対応する光ピックアップ装置では、対物レンズの設計が非常に困難となり、作製できたとしても非常に高価な対物レンズとなる。このため、３種類以上の光記録媒体について情報の記録等を行う光ピックアップを製造する場合、光学系の中に２つ以上の対物レンズを配置する構成とするのが、現状では得策である。
【０００６】
ところで、複数の対物レンズを光ピックアップの光学系中に配置する構成においては、複数の対物レンズは、対物レンズアクチュエータのレンズホルダにて並べて保持される。このとき、各対物レンズ間では、ワーキングディスタンス（ＷＤ）と呼ばれる、光記録媒体に対する情報の記録再生時の対物レンズ先端（面頂点）と光記録媒体との間の距離が異なる。そのため、従来は、レンズホルダにおける各対物レンズの設置位置（レンズ受け面）をフォーカス方向（各対物レンズの光軸方向）に異ならせるようにするのが一般的であった。
【０００７】
しかし、レンズホルダにおけるレンズ受け面（コバ面との当接面）が各対物レンズ間で異なると、レンズホルダの金型の加工精度の観点から、各レンズ受け面を精度よく平行に形成することが困難となり、各対物レンズを各レンズ受け面に設置したときに、各対物レンズの光軸が平行からずれやすくなる。すなわち、この場合、各対物レンズ間で光軸方向が異なる「相対チルト」が発生する。
【０００８】
このように各対物レンズ間で相対チルトが発生すると、対物レンズアクチュエータ自体のチルト調整を行っても、一方の対物レンズの光軸についてしかチルトを良好に調整することができない（一方の対物レンズの光軸しか光記録媒体に対して垂直にできない）。その結果、他方の対物レンズを用いて光記録媒体に対して情報の記録や再生を行う場合に、コマ収差が大きく発生し、光ピックアップの性能が低下する。
【０００９】
そこで、例えば、特許文献１では、レンズホルダにおいて、複数の対物レンズの取付孔の少なくとも１つにおける対物レンズ載置面を曲面で形成している。これにより、各対物レンズ間の傾斜の調整が可能となり、各対物レンズの光軸を互いに平行にすることが可能となっている。
【００１０】
また、特許文献２においても、特許文献１と類似の構成が採用されている。すなわち、特許文献２では、レンズホルダにおける対物レンズ受け面を、すり鉢形状またはテーパー形状にしている。これにより、複数の対物レンズの光軸を互いに平行に調整することが可能となり、光軸ずれを補正して、高性能で信頼性の高い光ピックアップを提供することが可能となっている。
【００１１】
また、特許文献３には、複数のレンズを並べて一体成形した一体成形レンズが開示されている。この構成では、複数のレンズを一体的に成形することにより、各レンズの光軸が互いに平行なものを一体型として最初から得ることができるものと思われる。
【００１２】
【特許文献１】特開２００６−１９００１号公報
【特許文献２】特開平１１−１２０６０２号公報
【特許文献３】特開平９−２３０１１１号公報
【発明の開示】
【発明が解決しようとする課題】
【００１３】
ところが、特許文献１および２の構成では、一方の対物レンズの光軸に対する他方の対物レンズの光軸の角度を微調整することができるものの、そのような微調整が必要な分だけ、逆に複数の対物レンズのレンズホルダへの搭載時の作業性が低下するという問題が生ずる。また、特許文献３の構成では、複数のレンズが一体成形されているために、例えば、一方のレンズに対応する汎用品が単独で出回っている場合でも、その汎用品を利用することができず、結果的に光ピックアップ全体としてのコストが上昇するという問題が生ずる。
【００１４】
本発明は、上記の問題点を解決するためになされたものであって、その目的は、複数の対物レンズ間の相対チルトを簡単な構成で低減することができ、これによって、各対物レンズのレンズホルダへの搭載時の作業性を向上させることができるとともに、汎用品としての対物レンズを容易に利用可能として、光ピックアップのコスト上昇を抑制することができる対物レンズアクチュエータと、それを備えた光ピックアップとを提供することにある。
【課題を解決するための手段】
【００１５】
本発明の対物レンズアクチュエータは、互いに別体で構成される複数の対物レンズと、前記複数の対物レンズを並べて保持するレンズホルダと、用いる光記録媒体に対応する対物レンズを介して前記光記録媒体の記録面上の所定トラックに光ビームが集光するように、前記レンズホルダを移動させる駆動手段とを備えた対物レンズアクチュエータにおいて、前記レンズホルダは、前記複数の対物レンズの各々のコバ面と当接することによって各対物レンズを受ける複数のレンズ受け面を有しており、前記複数のレンズ受け面は、同一平面で構成されていることを特徴としている。
【００１６】
上記の構成によれば、複数の対物レンズは、レンズホルダにて並べて保持される。このレンズホルダは、駆動手段により、用いる光記録媒体に対応する対物レンズを介して光記録媒体の記録面上の所定トラックに光ビームが集光するように、例えばフォーカス方向（対物レンズの光軸方向）やトラッキング方向（光記録媒体の半径方向）に移動する。これにより、用いる光記録媒体に対して情報の記録や再生を適切に行うことが可能となる。
【００１７】
ここで、レンズホルダは、各対物レンズのコバ面と当接する複数のレンズ受け面を有しているが、その複数のレンズ受け面は、同一平面で構成されている。これにより、各対物レンズが精度良く設計されていれば、各対物レンズの光軸は、各対物レンズの各レンズ受け面への設置と同時に互いに平行となり、各対物レンズ間で相対チルトは自動的に無くなる。
【００１８】
このように、本発明によれば、各レンズ受け面を同一平面で構成するという簡単な構成で、各対物レンズ間の相対チルトを低減することができるので、各対物レンズのレンズホルダへの搭載時の作業性を向上させることができる。すなわち、一方の対物レンズについて、相対チルトを無くすための別途の光軸調整（チルト調整）を不要にすることができる。
【００１９】
また、複数の対物レンズは、互いに別体で構成されているので、複数の対物レンズの一部のレンズが汎用品として出回っている場合でも、その汎用品を容易に利用することができる。その結果、光ピックアップ全体のコスト上昇を抑制することができる。
【００２０】
本発明の対物レンズアクチュエータにおいては、前記複数の対物レンズは、第１および第２の光記録媒体の記録面上に光ビームを集光させる第１の対物レンズと、第３の光記録媒体の記録面上に光ビームを集光させる第２の対物レンズとからなっており、前記複数のレンズ受け面は、前記第１の対物レンズのコバ面と当接することによって前記第１の対物レンズを受ける第１レンズ受け面と、前記第２の対物レンズのコバ面と当接することによって前記第２の対物レンズを受ける第２レンズ受け面とからなっていてもよい。
【００２１】
ここで、第１の光記録媒体としては、例えばＣＤを想定することができ、第２の光記録媒体としては、例えばＤＶＤを想定することができる。また、第３の光記録媒体としては、例えばＢＤを想定することができる。
【００２２】
上記の構成によれば、第１の対物レンズとしてＣＤおよびＤＶＤ用の対物レンズを用い、第２の対物レンズとしてＢＤ用の対物レンズを用いた場合でも、これらの対物レンズのコバ面を第１のレンズ受け面および第２のレンズ受け面にて確実に受けて、各対物レンズをレンズホルダに搭載することができる。そして、そのような各対物レンズを用いた場合でも、各対物レンズ間での相対チルトを確実に低減することができる。
【００２３】
本発明の対物レンズアクチュエータは、互いに別体で構成される複数の対物レンズと、前記複数の対物レンズを並べて保持するレンズホルダと、用いる光記録媒体に対応する対物レンズを介して前記光記録媒体の記録面上の所定トラックに光ビームが集光するように、前記レンズホルダを移動させる駆動手段とを備えた対物レンズアクチュエータにおいて、前記レンズホルダは、前記複数の対物レンズのいずれかのコバ面と当接することによってその対物レンズを受けるレンズ受け面と、残りの対物レンズをスペーサを介して保持したときに、前記スペーサと当接することによって前記スペーサを受けるスペーサ受け面とを有しており、前記レンズ受け面と前記スペーサ受け面とは、同一平面で構成されていることを特徴としている。
【００２４】
上記の構成によれば、複数の対物レンズは、レンズホルダにて並べて保持される。このレンズホルダは、駆動手段により、用いる光記録媒体に対応する対物レンズを介して光記録媒体の記録面上の所定トラックに光ビームが集光するように、例えばフォーカス方向（対物レンズの光軸方向）やトラッキング方向（光記録媒体の半径方向）に移動する。これにより、用いる光記録媒体に対して情報の記録や再生を適切に行うことが可能となる。
【００２５】
ここで、上記のレンズホルダは、レンズ受け面とスペーサ受け面とを有しているが、レンズ受け面とスペーサ受け面とは、同一平面で構成されている。これにより、各対物レンズおよびスペーサが精度良く設計されていれば、各対物レンズの光軸は、一部の対物レンズのスペーサを介してのスペーサ受け面への設置、および残りの対物レンズのレンズ受け面への設置と同時に互いに平行となり、各対物レンズ間で相対チルトは自動的に無くなる。
【００２６】
このように、本発明によれば、レンズ受け面とスペーサ受け面とを同一平面で構成するという簡単な構成で、各対物レンズ間の相対チルトを低減することができるので、各対物レンズのレンズホルダへの搭載時の作業性を向上させることができる。また、一部の対物レンズは、スペーサを介してレンズホルダに搭載されるので、例えばその対物レンズが汎用品となっている場合には、その汎用品にあった精度の良いスペーサを用いて対物レンズをレンズホルダに搭載することが可能となる。
【００２７】
また、複数の対物レンズは、互いに別体で構成されているので、複数の対物レンズの一部のレンズが汎用品として出回っている場合でも、その汎用品を容易に利用することができる。その結果、光ピックアップ全体のコスト上昇を抑制することができる。
【００２８】
本発明の対物レンズアクチュエータにおいては、前記スペーサは、保持する対物レンズのコバ面と当接するレンズ側当接面と、前記レンズホルダのスペーサ受け面と当接するホルダ側当接面とを有しており、前記レンズ側当接面と前記ホルダ側当接面とは、平行であることが望ましい。
【００２９】
本発明によれば、レンズホルダのレンズ受け面とスペーサ受け面とは同一平面であるので、上記のようにスペーサのレンズ側当接面とホルダ側当接面とが平行であれば、レンズ受け面にて保持されている対物レンズの光軸と、スペーサ受け面と当接しているスペーサにて保持されている対物レンズの光軸とを確実に平行にすることができ、各対物レンズ間の相対チルトを確実に低減することができる。
【００３０】
本発明の対物レンズアクチュエータは、互いに別体で構成される複数の対物レンズと、前記複数の対物レンズを並べて保持するレンズホルダと、用いる光記録媒体に対応する対物レンズを介して前記光記録媒体の記録面上の所定トラックに光ビームが集光するように、前記レンズホルダを移動させる駆動手段とを備えた対物レンズアクチュエータにおいて、前記複数の対物レンズは、同一のスペーサを介して前記レンズホルダにて並べて保持され、前記レンズホルダは、前記スペーサと当接することによって前記スペーサを受けるスペーサ受け面を有しており、前記スペーサ受け面は、一続きの面であることを特徴としている。
【００３１】
上記の構成によれば、複数の対物レンズは、同一のスペーサを介してレンズホルダにて並べて保持される。このレンズホルダは、駆動手段により、用いる光記録媒体に対応する対物レンズを介して光記録媒体の記録面上の所定トラックに光ビームが集光するように、例えばフォーカス方向（対物レンズの光軸方向）やトラッキング方向（光記録媒体の半径方向）に移動する。これにより、用いる光記録媒体に対して情報の記録や再生を適切に行うことが可能となる。
【００３２】
ここで、上記のレンズホルダは、上記スペーサを受けるスペーサ受け面を有しているが、そのスペーサ受け面は、一続きの面で構成されている。これにより、各対物レンズおよびスペーサが精度良く設計されていれば、各対物レンズの光軸は、各対物レンズのスペーサを介してのスペーサ受け面への設置と同時に互いに平行となり、各対物レンズ間で相対チルトは自動的に無くなる。
【００３３】
このように、本発明によれば、スペーサ受け面を一続きの面で構成するという簡単な構成で、各対物レンズ間の相対チルトを低減することができるので、スペーサを介して各対物レンズをレンズホルダに搭載するときの作業性を向上させることができる。
【００３４】
また、複数の対物レンズは、互いに別体で構成されているので、複数の対物レンズの一部のレンズが汎用品として出回っている場合でも、その汎用品を容易に利用することができる。その結果、光ピックアップ全体のコスト上昇を抑制することができる。
【００３５】
本発明の対物レンズアクチュエータにおいて、前記スペーサは、保持する複数の対物レンズのコバ面と当接するレンズ側当接面と、前記レンズホルダのスペーサ受け面と当接するホルダ側当接面とを有しており、前記レンズ側当接面と前記ホルダ側当接面とは、平行であることが望ましい。
【００３６】
本発明によれば、レンズホルダのスペーサ受け面は一続きの面であるので、上記のようにスペーサのレンズ側当接面とホルダ側当接面とが平行であれば、スペーサ受け面がたとえ平面でなくても（わずかに湾曲した面であっても）、そのスペーサ受け面で支持されるスペーサにて保持されている各対物レンズの光軸を互いに平行にすることができ、各対物レンズ間の相対チルトを確実に低減することができる。つまり、上記構成によれば、レンズホルダ側の精度（スペーサ受け面の平面度）を高く要求しなくても済み、レンズホルダの製造コストを低減することができる。
【００３７】
上述した本発明の対物レンズアクチュエータは、さらに、前記レンズホルダに設けられるフォーカス用コイルおよびトラッキング用コイルと、永久磁石およびヨークを備えた基板上に立設される支持部材と、一端が前記支持部材と接続される一方、他端が前記フォーカス用コイルおよび前記トラッキング用コイルと接続され、前記基板に対して前記レンズホルダを揺動可能に支持するとともに、前記フォーカス用コイルおよび前記トラッキング用コイルに電力を供給する複数本の金属線とを備えている構成であってもよい。
【００３８】
上記構成では、複数本の金属線の一端は、基板上の支持部材に接続され、他端はフォーカス用コイルおよびトラッキング用コイルに接続されている。この金属線を介してフォーカス用コイルおよびトラッキング用コイルに電力が供給されると、フォーカス用コイルおよびトラッキング用コイルを流れる電流と、永久磁石によって生ずる磁界との相互作用により、レンズホルダがフォーカス方向およびトラッキング方向に変位する。したがって、上記構成によれば、いわゆるワイヤ方式の対物レンズアクチュエータを実現することができる。
【００３９】
また、上述した本発明の対物レンズアクチュエータにおいて、前記レンズホルダは、該レンズホルダを貫通する回転軸に対して摺動可能かつ回動可能に支持されている構成であってもよい。この構成では、回転軸に対する摺動により、レンズホルダをフォーカス方向に変位させることができ、回転軸に対する回動により、レンズホルダをトラッキング方向に変位させることができる。つまり、上記構成によれば、いわゆる軸摺動方式の対物レンズアクチュエータを実現することができる。
【００４０】
本発明の光ピックアップは、複数の光記録媒体に対応する波長の光ビームを出射する複数の光源と、各光源から出射される光ビームを、用いる光記録媒体の記録面上に集光させる複数の対物レンズを保持する対物レンズアクチュエータとを備えた光ピックアップにおいて、前記対物レンズアクチュエータは、上述した本発明の対物レンズアクチュエータで構成されていることを特徴としている。
【００４１】
上記の構成によれば、各光源から出射される光ビームは、対物レンズアクチュエータに保持されている各対物レンズにより、用いる光記録媒体の記録面上に集光される。これにより、用いる光記録媒体に応じて情報の記録や再生を行うことが可能となる。
【００４２】
このとき、上記対物レンズアクチュエータは、本発明の対物レンズアクチュエータで構成されており、各対物レンズ間の相対チルトを簡単な構成で低減することができるので、各対物レンズのレンズホルダへの搭載時の作業性を向上させることができる。しかも、複数の対物レンズは、互いに別体で構成されているので、複数の対物レンズの一部のレンズが汎用品として出回っている場合でも、その汎用品を容易に利用することができ、光ピックアップ全体のコスト上昇を抑制することができる。
【００４３】
以上のことから、本発明の光ピックアップは、以下のように詳細に表現することも可能である。すなわち、本発明の光ピックアップは、レーザ光を出射する複数の光源と、各光源から出射されるレーザ光を、用いる光記録媒体の記録面上に集光させる複数の対物レンズを保持する対物レンズアクチュエータとを備え、前記複数の光源が、赤外レーザ光を出射する赤外レーザ光源と、赤色レーザ光を出射する赤色レーザ光源と、青色レーザ光を出射する青色レーザ光源とを備え、前記対物レンズアクチュエータが、前記赤外レーザ光をＣＤメディアの記録面に集光させるとともに、前記赤色レーザ光をＤＶＤメディアの記録面に集光させる第１の対物レンズと、前記第１の対物レンズとは別体で構成され、前記青色レーザ光をブルーレイディスクメディアの記録面に集光させる第２の対物レンズと、前記第１の対物レンズと前記第２の対物レンズとを並べて保持するとともに、フォーカス用コイルおよびトラッキング用コイルを有するレンズホルダと、永久磁石およびヨークを備えた基板上に立設される支持部材と、一端が前記支持部材と接続される一方、他端が前記フォーカス用コイルおよび前記トラッキング用コイルと接続され、前記基板に対して前記レンズホルダを揺動可能に支持するとともに、前記フォーカス用コイルおよび前記トラッキング用コイルに電力を供給する複数本の金属線とを備えた光ピックアップであって、前記対物レンズアクチュエータの前記レンズホルダは、前記第１の対物レンズのコバ面と当接することによって前記第１の対物レンズを受ける第１レンズ受け面と、前記第２の対物レンズのコバ面と当接することによって前記第２の対物レンズを受ける第２レンズ受け面とからなっており、前記第１レンズ受け面と前記第２レンズ受け面とは、同一平面で構成されている。
【発明の効果】
【００４４】
本発明によれば、例えば、レンズホルダの各レンズ受け面を同一平面で構成するという簡単な構成で、各対物レンズ間の相対チルトを低減することができるので、各対物レンズのレンズホルダへの搭載時の作業性を向上させることができる。また、複数の対物レンズは、互いに別体で構成されているので、複数の対物レンズの一部のレンズが汎用品として出回っている場合でも、その汎用品を容易に利用することができ、光ピックアップ全体のコスト上昇を抑制することができる。
【発明を実施するための最良の形態】
【００４５】
本発明の実施の一形態について、図面に基づいて説明すれば以下の通りである。
図１は、本発明に係る光ピックアップＡの概略の構成を示す説明図である。光ピックアップＡは、本体１と、対物レンズアクチュエータ２とを備えている。また、光ピックアップＡは、第１の記録媒体としてのＣＤメディアまたは第２の記録媒体としてのＤＶＤメディアの記録／再生を行うための第１光学系３と、第３の記録媒体としてのＢＤメディア（単にＢＤとも称する）の記録／再生を行うための第２光学系４とを備えている。
【００４６】
なお、図１では、便宜上、赤外レーザの光路を一点鎖線で示しており、赤色レーザの光路を実線で示している。また、青色レーザの光路についても実線で示している。なお、上記のＣＤメディアは、ＣＤ−ＲＯＭ、ＣＤ−Ｒ、ＣＤ−ＲＷ等を含み、ＤＶＤメディアは、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ等を含むものとする。
【００４７】
本体１は、光ピックアップＡにおいて、対物レンズアクチュエータ２を除く部分を指しており、第１光学系３および第２光学系４の大部分を包含している。対物レンズアクチュエータ２は、本実施形態では、複数の光源から出射されるレーザ光を、用いる光記録媒体の記録面上に集光させる複数の対物レンズを保持するものであるが、その詳細については後述する。以下、まず、第１光学系３および第２光学系４について説明する。
【００４８】
第１光学系３は、赤外レーザ光源３１と、赤色レーザ光源３２と、ダイクロイックプリズム３３と、偏光ビームスプリッタ３４と、コリメータレンズ３５と、立ち上げミラー３６と、１／４波長板３７と、第１の対物レンズ３８と、センサレンズ３９と、受光素子Ｐｄ１とを備えている。
【００４９】
赤外レーザ光源３１は、波長が約７８０ｎｍの赤外レーザ光を出射するものであり、ＣＤメディアの記録／再生に利用される。赤色レーザ光源３２は、波長が約６５０ｎｍの赤色レーザ光を出射するものであり、ＤＶＤメディアの記録／再生に利用される。
【００５０】
ダイクロイックプリズム３３は、赤外領域の波長の光を透過させ、赤色領域の波長の光を反射するプリズムである。すなわち、赤外レーザ光源３１から出射されたレーザ光は、ダイクロリックプリズム３３を透過するが、赤色レーザ光源３２から出射されたレーザ光は、ダイクロリックプリズム３３の反射面で反射してそこから出射される。なお、本実施形態では、ダイクロリックプリズム３３として、赤外レーザ光を透過させ、赤色レーザ光を反射させるものを用いているが、これに限定されるわけではない。
【００５１】
偏光ビームスプリッタ３４は、入射するレーザ光をその偏光方向に応じて透過または反射させる光学素子である。本実施形態では、赤外レーザ光源３１および赤色レーザ光源３２から出射されたレーザ光（例えばＰ偏光）は、偏光ビームスプリッタ３４を透過する。一方、ＣＤメディアまたはＤＶＤメディアの記録面で反射されて偏光ビームスプリッタ３４に入射するレーザ光（例えばＳ偏光）は、そこで反射される。
【００５２】
コリメータレンズ３５は、点光源である赤外レーザ光源３１または赤色レーザ光源３２から出射された拡散光であるレーザ光を平行光に変換する。コリメータレンズ３５から出射されたレーザ光は、立ち上げミラー３６にて入射方向と直交する方向に反射される。これにより、レーザ光の光路は、ＣＤメディアまたはＤＶＤメディアの記録面に直交する方向に変更される。１／４波長板３７は、入射する直線偏光の光を円偏光に、円偏光の光を直線偏光に変換するものである。
【００５３】
第１の対物レンズ３８は、例えば非球面レンズで構成され、赤外レーザ光をＣＤメディアの記録面に集光させるとともに、赤色レーザ光をＤＶＤメディアの記録面に集光させる。つまり、第１の対物レンズ３８は、赤外レーザ光を収束させ、レーザスポットとしてＣＤメディアの記録面に照射させるとともに、赤色レーザ光を収束させ、レーザスポットとしてＤＶＤメディアの記録面に照射させる。
【００５４】
ＣＤメディアまたはＤＶＤメディアの記録面で反射されたレーザ光（赤外レーザ光または赤色レーザ光）は、再度１／４波長板３７に入射する。このとき、反射されたレーザ光は、円偏光から直線偏光に変換されるが、その偏光方向は、赤外レーザ光源３１または赤色レーザ光源３２から出射されたレーザ光の偏光方向（例えばＰ偏光）に対して直交する。すなわち、１／４波長板３７から立ち上げミラー３６に向かう光は、例えばＳ偏光である。これにより、１／４波長板３７から立ち上げミラー３６を介して偏光ビームスプリッタ３４に入射するレーザ光は、そこを透過せずに反射され、センサレンズ３９を介して受光素子Ｐｄ１に入射する。受光素子Ｐｄ１では、入射したレーザ光が電気信号に変換され、そこからの出力信号がＣＤメディアまたはＤＶＤメディアの記録／再生時に利用される。
【００５５】
一方、第２光学系４は、青色レーザ光源４１と、偏光ビームスプリッタ４４と、コリメータレンズ４５と、立ち上げミラー４６と、１／４波長板４７と、第２の対物レンズ４８と、センサレンズ４９と、受光素子Ｐｄ２とを備えている。
【００５６】
青色レーザ光源４１は、波長が約４０５ｎｍの青色レーザ光を出射するものであり、ＢＤの記録／再生に利用される。第２の対物レンズ４８は、青色レーザ光をＢＤの記録面に集光させる。つまり、第２の対物レンズ４８は、青色レーザ光を収束させ、レーザスポットとしてＢＤの記録面に照射させる。本実施形態では、第２の対物レンズ４８は、第１の対物レンズ３８とは別体で構成されている（第１の対物レンズ３８と一体的ではない）。それゆえ、第１の対物レンズ３８と第２の対物レンズ４８とのうちの少なくとも一方に対応するレンズが汎用品として出回っている場合でも、その汎用品を容易に採用することが可能である。
【００５７】
第２光学系４の偏光ビームスプリッタ４４、コリメータレンズ４５、立ち上げミラー４６、１／４波長板４７、センサレンズ４９、および受光素子Ｐｄ２は、それぞれ、第１光学系３の偏光ビームスプリッタ３４、コリメータレンズ３５、立ち上げミラー３６、１／４波長板３７、センサレンズ３９、および受光素子Ｐｄ１に対応しており、これらと実質的に同じ部材で構成され、これらと同じ機能を有する。したがって、第２光学系４の上記各構成部材の詳細な説明については省略する。
【００５８】
上述した光学部材のうち、第１光学系３の第１の対物レンズ３８と、第２光学系４の第２の対物レンズ４８とは、対物レンズアクチュエータ２にて保持されている。対物レンズアクチュエータ２は、本体１に取り付けられている。
【００５９】
次に、本発明の対物レンズアクチュエータ２について説明する。
図２は、本実施形態の光ピックアップＡに用いられる対物レンズアクチュエータ２の概略の構成を示す平面図であり、図３は、図２の対物レンズアクチュエータ２の正面図であり、図４は、図２の対物レンズアクチュエータ２に用いられるレンズホルダ２４を拡大して示す斜視図である。なお、図２および図４中、“Ｒａ”は、光ディスクメディア（ＣＤメディア、ＤＶＤメディア、ＢＤ）のラジアル方向（径方向）を示し、“Ｔａ”は、ラジアル方向に垂直な方向であるタンジェンシャル方向（周方向）を示す。また、これらの図面では、便宜上、第１の対物レンズ３８および第２の対物レンズ４８の図示を省略している。
【００６０】
対物レンズアクチュエータ２は、アクチュエータベース２１と、永久磁石２２と、支持部材２３と、レンズホルダ２４と、電力基板２５と、ワイヤばね２６とを有しており、いわゆるワイヤ方式の対物レンズアクチュエータを構成している。
【００６１】
アクチュエータベース２１は、金属板の打ち抜き、切り曲げによって形成される基板である。アクチュエータベース２１には、赤外レーザ光または赤色レーザ光が通過する第１貫通孔２１１と、青色レーザ光が通過する第２貫通孔２１２とを有している。また、アクチュエータベース２１には、永久磁石２２が保持されているとともに、バックヨークとして作用する磁石保持部２１３が形成されている。
【００６２】
永久磁石２２は、レンズホルダ２４に磁界を作用させるものであり、例えばネオジウム磁石で構成されている。永久磁石２２の磁極（Ｎ極、Ｓ極）は、後述するフォーカス用コイル２４５およびトラッキング用コイル２４６を流れる電流の向きをそれぞれ横切るような磁界が発生する形状で形成されている。
【００６３】
支持部材２３は樹脂製であり、アクチュエータベース２１上に立設されている。支持部材２３は、例えばボルトによってアクチュエータベース２１に強固に固定されているが、はめ込み、溶着、接着等の手法により、アクチュエータベース２１から脱落しないように固定されていてもよい。
【００６４】
レンズホルダ２４は、例えば樹脂成形によって形成され、その上面側に、第１の対物レンズ３８の嵌め込み用の孔２４１と、第２の対物レンズ４８の嵌め込み用の孔２４２とを有している。孔２４１・２４２は、Ｔａ方向に並べて形成されている。したがって、第１の対物レンズ３８を孔２４１に嵌め込み、第２の対物レンズ４８を孔２４２に嵌め込んだとき、第１の対物レンズ３８および第２の対物レンズ４８は、レンズホルダ２４にてＴａ方向に並べて保持される。
【００６５】
また、レンズホルダ２４は、赤外レーザ光または赤色レーザ光が通過する第１貫通孔２４３と、青色レーザ光が通過する第２貫通孔２４４と、フォーカス用コイル２４５と、トラッキング用コイル２４６と、接続端子２４７とを備えている。
【００６６】
第１貫通孔２４３は、レンズホルダ２４の下面から上面に向けて貫通しており、孔２４１およびアクチュエータベース２１の第１貫通孔２１１と対応する位置に形成されている。また、第１貫通孔２４３の径は、孔２４１の径よりも小さく形成されており、第１の対物レンズ３８を孔２４１に嵌め込んだときには、第１の対物レンズ３８のレンズ面（光源からの光が入射する面）が第１貫通孔２４３に落ち込んだ状態で、第１の対物レンズ３８がレンズホルダ２４にて保持される。
【００６７】
第２貫通孔２４４は、同じくレンズホルダ２４の下面から上面に向けて貫通しており、孔２４２およびアクチュエータベース２１の第２貫通孔２１２と対応する位置に形成されている。また、第２貫通孔２４４の径は、孔２４２の径よりも小さく形成されており、第２の対物レンズ４８を孔２４２に嵌め込んだときには、第２の対物レンズ４８のレンズ面（光源からの光が入射する面）が第２貫通孔２４４に落ち込んだ状態で、第２の対物レンズ４８がレンズホルダ２４にて保持される。
【００６８】
フォーカス用コイル２４５は、レンズホルダ２４を光軸方向に移動させるためのコイルであり、トラッキング用コイル２４６は、レンズホルダ２４を光記録媒体の径方向に移動させるためのコイルである。接続端子２４７は、後述するワイヤばね２６と電気的に接続される端子である。
【００６９】
電力基板２５は、例えば屈曲性を有するＦＰＣ（Flexible Print Circuit）で構成されており、支持部材２３の約半分を覆うように接着されている。なお、電力基板２５の構成材料は、ＦＰＣに限定されるものではなく、支持部材２３に安定して取り付けられるものであればよい。電力基板２５は、ワイヤばね２６と電気的に接続される端子部２５１を備えている。
【００７０】
ワイヤばね２６は、導電性および弾性を有する部材（金属線）で構成され、一端が電力基板２５の端子部２５１を介して支持部材２３に支持される一方、他端が接続端子２４７を介してフォーカス用コイル２４５およびトラッキング用コイル２４６と接続され、アクチュエータベース２１に対してレンズホルダ２４を揺動可能に支持している。本実施形態では、レンズホルダ２４は、２本のワイヤばね２６を介して、底部がアクチュエータベース２１と接触しないように支持部材２３に支持されている。なお、ワイヤばね２６は、３本以上の複数本設けられていてもよい。
【００７１】
端子部２５１と接続端子２４７とは、ワイヤばね２６を介して電気的に接続されているので、電力基板２５からワイヤばね２６を介してフォーカス用コイル２４５およびトラッキング用コイル２４６に電力を供給することが可能となる。これにより、フォーカス用コイル２４５およびトラッキング用コイル２４６を流れる電流と、永久磁石２２によって生ずる磁界との相互作用により、レンズホルダ２４をフォーカス方向（光軸方向）およびトラッキング方向（径方向）に移動させることが可能となり、フォーカス制御およびトラッキング制御を行うことが可能となる。
【００７２】
以上のような作用を奏することから、少なくとも永久磁石２２、支持部材２３、フォーカス用コイル２４５、トラッキング用コイル２４６、電力基板２５およびワイヤばね２６は、用いる光記録媒体に対応する対物レンズを介して光記録媒体の記録面上の所定トラックにレーザ光が集光するように、レンズホルダ２４を移動させる駆動手段を構成していると言える。
【００７３】
次に、本発明の対物レンズアクチュエータ２の詳細について説明する。
図５は、第１の対物レンズ３８および第２の対物レンズ４８を保持していない状態でのレンズホルダ２４の平面図であり、図６は、第１の対物レンズ３８および第２の対物レンズ４８の断面図であり、図７は、第１の対物レンズ３８および第２の対物レンズ４８を保持した状態でのレンズホルダ２４の断面図である。
【００７４】
レンズホルダ２４は、複数の対物レンズの各々のコバ面と当接することによって各対物レンズを受ける複数のレンズ受け面を有している。より具体的には、レンズホルダ２４は、第１レンズ受け面２４１ａと、第２レンズ受け面２４２ａとを有している。第１レンズ受け面２４１ａは、第１の対物レンズ３８のコバ面３８ａと当接することによって第１の対物レンズ３８を受ける。第２レンズ受け面２４２ａは、第２の対物レンズ４８のコバ面４８ａと当接することによって第２の対物レンズ４８を受ける。
【００７５】
なお、第１の対物レンズ３８のコバ面３８ａとは、第１の対物レンズ３８のフランジ状の周縁部における下面を指す。ちなみに、第１の対物レンズ３８のコバ面３８ｂは、第１の対物レンズ３８のフランジ状の周縁部における上面を指す。コバ面３８ａ・３８ｂは、互いに対向し、かつ平行な面であり、第１の対物レンズ３８の光軸に対して垂直に形成されている。
【００７６】
同様に、第２の対物レンズ４８のコバ面４８ａとは、第２の対物レンズ４８のフランジ状の周縁部における下面を指す。ちなみに、第２の対物レンズ４８のコバ面４８ｂは、第２の対物レンズ４８のフランジ状の周縁部における上面を指す。コバ面４８ａ・４８ｂは、互いに対向し、かつ平行な面であり、第２の対物レンズ４８の光軸に対して垂直に形成されている。
【００７７】
本実施形態では、第１レンズ受け面２４１ａと第２レンズ受け面２４２ａとは、同一平面で構成されている。すなわち、第１レンズ受け面２４１ａと第２レンズ受け面２４２ａとは、一続きでつながった平面となっている。なお、同一平面からなる第１レンズ受け面２４１ａおよび第２レンズ受け面２４２ａを得るためには、レンズホルダ２４を成形する際に用いる金型における、第１レンズ受け面２４１ａおよび第２レンズ受け面２４２ａに対応する面を同一平面となるように加工するだけでよく、その加工は至って容易である。
【００７８】
このように、レンズホルダ２４においては、第１レンズ受け面２４１ａおよび第２レンズ受け面２４２ａが同一平面で構成されていることにより、第１の対物レンズ３８のレンズホルダ２４への搭載時、すなわち、第１の対物レンズ３８のコバ面３８ａを第１レンズ受け面２４１ａに当接させたときには、第１の対物レンズ３８の光軸ＡＸ１は、第１レンズ受け面２４１ａに対して垂直方向になるとともに、第２の対物レンズ４８のレンズホルダ２４への搭載時、すなわち、第２の対物レンズ４８のコバ面４８ａを第２レンズ受け面２４２ａに当接させたときには、第２の対物レンズ４８の光軸ＡＸ２は、第２レンズ受け面２４２ａに対して垂直方向となる。
【００７９】
つまり、第１の対物レンズ３８の光軸ＡＸ１および第２の対物レンズ４８の光軸ＡＸ２は、第１の対物レンズ３８の第１レンズ受け面２４１ａへの設置、および第２の対物レンズ４８の第２レンズ受け面２４２ａへの設置と同時に、自動的に互いに平行となり、第１の対物レンズ３８および第２の対物レンズ４８間での相対チルトは自動的に無くなる。
【００８０】
なお、第１レンズ受け面２４１ａおよび第２レンズ受け面２４２ａは、水平でない状態であっても（水平から多少傾いた状態に形成されていても）、これらが平面であり、かつ、同一平面である限り、第１の対物レンズ３８および第２の対物レンズ４８のレンズホルダ２４への搭載時には、第１の対物レンズ３８の光軸ＡＸ１および第２の対物レンズ４８の光軸ＡＸ２は平行となる。したがって、あとは、第１の対物レンズ３８および第２の対物レンズ４８を保持した状態で対物レンズアクチュエータ２の全体のチルト調整を行うことにより、第１の対物レンズ３８の光軸ＡＸ１および第２の対物レンズ４８の光軸ＡＸ２を光記録媒体に対して垂直にすることができる。
【００８１】
このように、複数のレンズ受け面（第１レンズ受け面２４１ａ、第２レンズ受け面２４２ａ）を同一平面で構成すれば、そのような簡単な構成で、第１の対物レンズ３８および第２の対物レンズ４８間の相対チルトを簡単に低減することができる。したがって、従来のような相対チルトを無くすための別途の調整（一方の対物レンズのチルト調整）を不要にして、第１の対物レンズ３８および第２の対物レンズ４８のレンズホルダ２４への搭載時の作業性を向上させることができる。
【００８２】
また、第１の対物レンズ３８および第２の対物レンズ４８の精度（例えばコバ面３８ａと光軸ＡＸ１との垂直度合い、コバ面４８ａと光軸ＡＸ２との垂直度合い）は、メーカー側である程度良好となるように保証されている。したがって、レンズホルダ２４を成形する際の金型の精度さえ管理すれば、上述のように第１の対物レンズ３８および第２の対物レンズ４８間の相対チルトを容易に無くすことができ、相対チルトの低減を容易に図ることができる。
【００８３】
また、上述した対物レンズアクチュエータ２の構成によれば、後述するスペーサ２４８（図８参照）やスペーサ２４９（図１１参照）を用いて第１の対物レンズ３８および／または第２の対物レンズ４８を保持する構成に比べて、そのようなスペーサ２４８・２４９を用いない分、部品点数を少なくできる。したがって、コスト低減を優先する場合は、上述した対物レンズアクチュエータ２の構成が望ましい。
【００８４】
ところで、複数の対物レンズのいずれかは、個別スペーサを介してレンズホルダ２４にて保持されてもよい。図８は、上記個別スペーサとしてのスペーサ２４８の概略の構成を示す斜視図である。スペーサ２４８は、平たい筒状に形成されており、その上面がレンズ側当接面２４８ａとなっており、その下面がホルダ側当接面２４８ｂとなっている。
【００８５】
レンズ側当接面２４８ａは、保持する対物レンズ（例えば第２の対物レンズ４８）のコバ面（例えばコバ面４８ａ）と当接する面であり、ホルダ側当接面２４８ｂは、レンズホルダ２４の後述するスペーサ受け面２４２ｂ（図９参照）と当接する面である。レンズ側当接面２４８ａとホルダ側当接面２４８ｂとは、平行である。
【００８６】
このようなスペーサ２４８を用いて複数の対物レンズのいずれかをレンズホルダ２４に保持する場合、レンズホルダ２４としては、図９に示す構成のものを用いることができる。図９は、レンズホルダ２４の他の構成例を示す平面図である。このレンズホルダ２４では、上述した第２レンズ受け面２４２ａがスペーサ受け面２４２ｂとして機能している。スペーサ受け面２４２ｂは、保持する対物レンズ（例えば第２の対物レンズ４８）をスペーサ２４８を介して保持したときに、スペーサ２４８のホルダ側当接面２４８ｂと当接することによってスペーサ２４８を受ける面である。
【００８７】
このとき、上述したように、第１レンズ受け面２４１ａと第２レンズ受け面２４２ａとは同一平面で構成されているので、第２レンズ受け面２４２ａがスペーサ受け面２４２ｂとして機能する場合でも、第１レンズ受け面２４１ａとスペーサ受け面２４２ｂとは同一平面で構成されていると言うことができる。
【００８８】
図１０は、第１の対物レンズ３８および第２の対物レンズ４８を保持した状態での上記構成のレンズホルダ２４の断面図である。同図に示すように、第１の対物レンズ３８を孔２４１に直接嵌め込む一方、第２の対物レンズ４８をスペーサ２４８を介して孔２４２に嵌め込むことにより、第１の対物レンズ３８および第２の対物レンズ４８をレンズホルダ２４にて保持することができる。
【００８９】
このようなレンズホルダ２４においても、第１レンズ受け面２４１ａとスペーサ受け面２４２ｂとが同一平面で構成されているので、第１の対物レンズ３８、第２の対物レンズ４８およびスペーサ２４８が精度良く設計されていれば、第１の対物レンズ３８の光軸ＡＸ１および第２の対物レンズ４８の光軸ＡＸ２は、第１の対物レンズ３８の第１レンズ受け面２４１ａへの設置、および第２の対物レンズ４８のスペーサ２４８を介してのスペーサ受け面２４２ｂへの設置と同時に互いに平行となり、第１の対物レンズ３８および第２の対物レンズ４８間で相対チルトは自動的に無くなる。したがって、複数の対物レンズを保持するとともに、そのいずれかをスペーサ２４８を用いて保持する構成であっても、各対物レンズのレンズホルダ２４への搭載時の作業性を向上させることができる。
【００９０】
特に、スペーサ２４８のレンズ側当接面２４８ａとホルダ側当接面２４８ｂとが平行であるので、第１レンズ受け面２４１ａにて保持されている第１の対物レンズ３８の光軸ＡＸ１と、スペーサ２４８を介して保持されている第２の対物レンズ４８の光軸ＡＸ２とをレンズホルダ２４上で確実に平行にすることができ、スペーサ２４８を用いる構成であっても、第１の対物レンズ３８および第２の対物レンズ４８間の相対チルトを確実に低減することができる。
【００９１】
なお、以上では、第２の対物レンズ４８をスペーサ２４８を介してレンズホルダ２４にて保持しているが、第１の対物レンズ３８を別の個別スペーサを介してレンズホルダ２４にて保持する構成であってもよい。この場合は、図５の第１レンズ受け面２４１ａと第２レンズ受け面２４２ａとのうち、第１レンズ受け面２４１ａがスペーサ受け面として機能するが、第１レンズ受け面２４１ａと第２レンズ受け面２４２ａとは同一平面で構成されているので、上記スペーサ受け面と第２レンズ受け面２４２ａとは同一平面で構成されていることになる。したがって、この場合でも、上述した本発明の効果を同様に得ることができる。
【００９２】
また、スペーサ２４８を用いていずれかの対物レンズをレンズホルダ２４にて保持する構成とすることにより、スペーサ２４８を介して保持される対物レンズが汎用品として出回っている場合でも、その汎用品にあった精度の高いスペーサ２４８を用いることが可能となり、汎用品に応じたスペーサ２４８を選択できるという利点がある。
【００９３】
ところで、複数の対物レンズは、同一のスペーサ（共通スペーサ）を介してレンズホルダ２４に並べて保持される構成であってもよい。図１１は、共通スペーサとしてのスペーサ２４９の概略の構成を示す斜視図である。このスペーサ２４９は、例えば樹脂や金属からなり、平板状で形成されている。スペーサ２４９の上面は、レンズ側当接面２４９ａとなっており、その下面はホルダ側当接面２４９ｂとなっている。
【００９４】
レンズ側当接面２４９ａは、保持する複数の対物レンズ（第１の対物レンズ３８、第２の対物レンズ４８）のコバ面（コバ面３８ａ・４８ａ）と当接する面である。ホルダ側当接面２４９ｂは、レンズホルダ２４の後述するスペーサ受け面２４ａ（図１２参照）と当接する面である。また、レンズ側当接面２４９ａとホルダ側当接面２４９ｂとは、平行である。
【００９５】
また、図１２は、第１の対物レンズ３８および第２の対物レンズ４８を保持していない状態でのレンズホルダ２４のさらに他の構成例を示す平面図である。このレンズホルダ２４は、スペーサ受け面２４ａと、２個の突起２４ｂとを有している。スペーサ受け面２４ａは、スペーサ２４９のホルダ側当接面２４９ｂと当接することによってスペーサ２４９を受ける面であり、一続きの面で構成されている。なお、スペーサ受け面２４ａは、一続きの面であればよく、それが平面であってもよいし、多少湾曲のある面であってもよい。突起２４ｂ・２４ｂは、スペーサ受け面２４ａから突出して設けられており、スペーサ２４９の後述する第３貫通孔２４９ｅ・２４９ｅに嵌合することによって、レンズホルダ２４に対してスペーサ２４９が位置決めされる。
【００９６】
また、図１１に示したスペーサ２４９は、第１貫通孔２４９ｃと、第２貫通孔２４９ｄと、２個の第３貫通孔２４９ｅ・２４９ｅとを有している。第１貫通孔２４９ｃは、レンズホルダ２４の第１貫通孔２４３（図１２参照）と同等の径を有し、下面から上面に向かって貫通する孔である。第１の対物レンズ３８のコバ面３８ａがスペーサ２４９のレンズ側当接面２４９ａに当接したとき、第１の対物レンズ３８のレンズ面（光源から光が入射する面）は、第１貫通孔２４９ｃに落ち込む。
【００９７】
第２貫通孔２４９ｄは、レンズホルダ２４の第２貫通孔２４４（図１２参照）と同等の径を有し、下面から上面に向かって貫通する孔である。第２貫通孔２４９ｄは、第１貫通孔２４９ｃと並んで形成されている。第２の対物レンズ４８のコバ面４８ａがスペーサ２４９のレンズ側当接面２４９ａに当接したとき、第２の対物レンズ４８のレンズ面（光源から光が入射する面）は、第２貫通孔２４９ｄに落ち込む。
【００９８】
第３貫通孔２４９ｅ・２４９ｅは、レンズホルダ２４の突起２４ｂ・２４ｂ（図１２参照）がそれぞれ嵌まる穴である。突起２４ｂ・２４ｂが第３貫通孔２４９ｅ・２４９ｅに嵌合したとき、レンズホルダ２４とスペーサ２４９との接合面における、レンズホルダ２４の第１貫通孔２４３の位置とスペーサ２４９の第１貫通孔２４９ｃの位置とが一致し、これらが真っ直ぐにつながった状態となる。同様に、突起２４ｂ・２４ｂが第３貫通孔２４９ｅ・２４９ｅに嵌合したとき、レンズホルダ２４とスペーサ２４９との接合面における、レンズホルダ２４の第２貫通孔２４４の位置とスペーサ２４９の第２貫通孔２４９ｄの位置とが一致し、これらが真っ直ぐにつながった状態となる。
【００９９】
図１３は、第１の対物レンズ３８および第２の対物レンズ４８をスペーサ２４９を介して保持した状態での上記構成のレンズホルダ２４の断面図である。第１の対物レンズ３８のコバ面３８ａをスペーサ２４９のレンズ側当接面２４９ａに当接させ、そのレンズ面を第１貫通孔２４９ｃに落ち込ませるとともに、第２の対物レンズ４８のコバ面４８ａをスペーサ２４９のレンズ側当接面２４９ａに当接させ、そのレンズ面を第２貫通孔２４９ｄに落ち込ませ、第１の対物レンズ３８および第２の対物レンズ４８をスペーサ２４９にて並べて保持した状態で、スペーサ２４９のホルダ側当接面２４９ｂをレンズホルダ２４のスペーサ受け面２４ａに当接させることにより、第１の対物レンズ３８および第２の対物レンズ４８を、スペーサ２４９を介してレンズホルダ２４にて並べて保持することができる。
【０１００】
このとき、レンズホルダ２４におけるスペーサ受け面２４ａは、上述のように一続きの面で構成されているので、第１の対物レンズ３８、第２の対物レンズ４８およびスペーサ２４９が精度良く設計されていれば、第１の対物レンズＡＸ１および第２の対物レンズ４８の光軸ＡＸ２は、第１の対物レンズ３８および第２の対物レンズ４８のスペーサ２４９を介してのスペーサ受け面２４ａへの設置と同時に互いに平行となり、第１の対物レンズ３８および第２の対物レンズ４８間で相対チルトは自動的に無くなる。したがって、複数の対物レンズを全て、スペーサ２４９を用いて保持する構成であっても、各対物レンズのレンズホルダ２４への搭載時の作業性を向上させることができる。
【０１０１】
特に、本実施形態では、スペーサ２４９のレンズ側当接面２４９ａとホルダ側当接面２４９ｂとが平行であるので、レンズホルダ２４のスペーサ受け面２４ａが平面であろうとなかろうと、スペーサ２４９のホルダ側当接面２４９ｂをスペーサ受け面２４ａに当接させたときには、スペーサ２４９での保持によって第１の対物レンズ３８の光軸ＡＸ１と第２の対物レンズ４８の光軸ＡＸ２とを平行にすることができ、第１の対物レンズ３８および第２の対物レンズ４８間の相対チルトを確実に低減することができる。したがって、スペーサ２４９を用いる構成では、レンズホルダ２４の精度（特にスペーサ受け面２４ａの平面度）を高く要求しなくても済み、レンズホルダ２４の製造コストを低減することができる。
【０１０２】
また、第１の対物レンズ３８および第２の対物レンズ４８に共通のスペーサ２４９を構成することで、平板部品（スペーサ２４９）がかなり大きな部品となるので、スペーサ２４９の平面度（レンズ側当接面２４９ａおよびホルダ側当接面２４９ｂの平面度および平行度）を出すことが容易となるという利点もある。
【０１０３】
なお、スペーサ２４９は、上述したように樹脂や金属で構成することが可能であるが、スペーサ２４９の平面度を確保するという点では、樹脂よりも金属でスペーサ２４９を構成することが望ましい。しかし、金属製のスペーサ２４９は、その重量が重くなることから、ワイヤ方式よりも次に示す軸摺動方式の対物レンズアクチュエータ７（図１４参照）に適用するほうが好ましい。
【０１０４】
以上では、対物レンズアクチュエータ２をワイヤ方式で構成した例について説明したが、軸摺動方式で構成してもよい。以下、軸摺動方式の対物レンズアクチュエータについて説明する。
【０１０５】
図１４は、軸摺動方式の対物レンズアクチュエータ７の概略の構成を示す平面図であり、図１５は、上記対物レンズアクチュエータ７の断面図であり、図１６は、上記対物レンズアクチュエータ７のレンズホルダ７４の斜視図である。なお、図１４および図１６では、便宜上、第１の対物レンズ３８および第２の対物レンズ４８の図示を省略している。レンズホルダ７４は、アクチュエータベース７１に取り付けられた回転軸であるシャフト７３に対して、摺動可能かつ回動可能に取り付けられている。
【０１０６】
より詳細には、対物レンズアクチュエータ７は、アクチュエータベース７１と、永久磁石７２と、シャフト７３と、第１の対物レンズ３８および第２の対物レンズ４８を保持するレンズホルダ７４と、トラッキング用コイル７５と、フォーカス用コイル７６とを有している。
【０１０７】
アクチュエータベース７１は、平面視で矩形状に形成されており、底部７１１と、底部７１１の周囲から底部７１１と垂直に立ち上がる立ち上がり部７１２とを有している。底部７１１の略中央部には、立ち上がり部７１２と同じ方向に突出する円筒形状のシャフト７３がレンズホルダ７４を貫通するように立設されている。立ち上がり部７１２には、シャフト７３を挟んで対向した位置に２個の永久磁石７２が配置されている。なお、永久磁石７２の個数は、２個に限定されるわけではない。
【０１０８】
レンズホルダ７４は、第１の対物レンズ３８が取り付けられる第１の対物レンズ取付孔７４１と、第２の対物レンズ４８が取り付けられる第２の対物レンズ取付孔７４２と、本体の略中央を貫通し、シャフト７３が内部を貫通する軸孔７４３とを有している。第１の対物レンズ取付孔７４１と第２の対物レンズ取付孔７４２とは、Ｒａ方向に並んで形成されている。それゆえ、これらの取付孔にそれぞれ第１の対物レンズ３８および第２の対物レンズ４８を嵌め込んだときには、第１の対物レンズ３８および第２の対物レンズ４８は、Ｒａ方向に並んで配置される。なお、レンズホルダ７４は、第１貫通孔７４４および第２貫通孔７４５を有しているが、これらは図７で示したレンズホルダ２４の第１貫通孔２４３および第２貫通孔２４４に対応するものである。
【０１０９】
トラッキング用コイル７５は、レンズホルダ７４の側面に軸孔７４３を挟んで対称に配置されている。フォーカス用コイル７６は、軸孔７４３を囲むようにレンズホルダ７４の下面に配置されている。フォーカス用コイル７６の下面には、図示しない磁性板が配置されている。
【０１１０】
上記のように、レンズホルダ７４がシャフト７３に対して摺動可能かつ回動可能に支持されている、いわゆる軸摺動方式の対物レンズアクチュエータ７においても、ワイヤ方式の対物レンズアクチュエータ２について示した図５から図１３の構成を適用することは勿論可能である。したがって、この場合は、複数の対物レンズ間での相対チルトを低減して、各対物レンズのレンズホルダへの搭載時の作業性を向上させることができるなど、ワイヤ方式の対物レンズアクチュエータ２で得られた本発明の効果と同様の効果を軸摺動方式の対物レンズアクチュエータ７において得ることができる。
【０１１１】
なお、本実施形態では、ＣＤメディアおよび／またはＤＶＤメディアの記録／再生を行う第１光学系３と、ＢＤメディアの記録／再生を行う第２光学系４とが互いに独立して形成されているものを示したが、それに限定されるわけではない。例えば、光ピックアップの一部（例えば偏光ビームスプリッタから１／４波長板まで）を共用するように構成してもよい。この場合、１／４波長板を通過したレーザ光を分光し、赤外レーザ光、赤色レーザ光は第１の対物レンズに、青色レーザ光は第２の対物レンズに入射させる部材が必要であるが、共用化により、光ピックアップを小型化することができるとともに、部材点数を減らすことができ、組み立ておよび調整に要する手間と時間を減らすことができ、製造コストを低減することが可能である。
【０１１２】
以上、本発明の実施形態を具体的に説明したが、本発明は本実施形態に限定するものではなく、その要旨を逸脱しない範囲で種々変更可能であり、また、各構成の組み合わせも勿論可能である。
【産業上の利用可能性】
【０１１３】
本発明は、ＤＶＤ、ＣＤ、ＢＤ等の光ディスクを記録媒体とする光ディスク装置に適用可能である。
【図面の簡単な説明】
【０１１４】
【図１】本発明の実施の一形態に係る光ピックアップの概略の構成を示す説明図である。
【図２】上記光ピックアップに用いられる対物レンズアクチュエータの概略の構成を示す平面図である。
【図３】上記対物レンズアクチュエータの正面図である。
【図４】上記対物レンズアクチュエータに用いられるレンズホルダを拡大して示す斜視図である。
【図５】第１の対物レンズおよび第２の対物レンズを保持していない状態での上記レンズホルダの平面図である。
【図６】上記第１の対物レンズおよび上記第２の対物レンズの断面図である。
【図７】上記第１の対物レンズおよび上記第２の対物レンズを保持した状態での上記レンズホルダの断面図である。
【図８】複数の対物レンズのいずれかをスペーサを介してレンズホルダに保持する際に用いられる上記スペーサの概略の構成を示す斜視図である。
【図９】上記レンズホルダの構成例を示す平面図である。
【図１０】第１の対物レンズおよび第２の対物レンズを保持した状態での上記レンズホルダの断面図である。
【図１１】複数の対物レンズを同一のスペーサを介してレンズホルダに並べて保持する際に用いられる上記スペーサの概略の構成を示す斜視図である。
【図１２】上記レンズホルダの構成例を示す平面図である。
【図１３】第１の対物レンズおよび第２の対物レンズを上記スペーサを介して保持した状態での上記レンズホルダの断面図である。
【図１４】上記対物レンズアクチュエータの他の構成例であって、軸摺動方式の対物レンズアクチュエータの概略の構成を示す平面図である。
【図１５】上記対物レンズアクチュエータの断面図である。
【図１６】上記対物レンズアクチュエータのレンズホルダの斜視図である。
【符号の説明】
【０１１５】
２        対物レンズアクチュエータ
７        対物レンズアクチュエータ
２１        アクチュエータベース（基板）
２２        永久磁石（駆動手段）
２３        支持部材（駆動手段）
２４        レンズホルダ
２５        電力基板（駆動手段）
２６        ワイヤばね（駆動手段、金属線）
３１        赤外レーザ光源
３２        赤色レーザ光源
３８        第１の対物レンズ
３８ａ      コバ面
４１        青色レーザ光源
４８        第２の対物レンズ
４８ａ      コバ面
７３        シャフト（回転軸）
７４        レンズホルダ
２１３        磁石保持部（ヨーク）
２４１ａ      第１レンズ受け面
２４２ａ      第２レンズ受け面
２４２ｂ      スペーサ受け面
２４５        フォーカス用コイル（駆動手段）
２４６        トラッキング用コイル（駆動手段）
２４８        スペーサ
２４８ａ      レンズ側当接面
２４８ｂ      ホルダ側当接面
２４９        スペーサ
２４９ａ      レンズ側当接面
２４９ｂ      ホルダ側当接面
Ａ        光ピックアップ
【図１】
2008077721.tif 000003
【図２】
2008077721.tif 000004
【図３】
2008077721.tif 000005
【図４】
2008077721.tif 000006
【図５】
2008077721.tif 000007
【図６】
2008077721.tif 000008
【図７】
2008077721.tif 000009
【図８】
2008077721.tif 000010
【図９】
2008077721.tif 000011
【図１０】
2008077721.tif 000012
【図１１】
2008077721.tif 000013
【図１２】
2008077721.tif 000014
【図１３】
2008077721.tif 000015
【図１４】
2008077721.tif 000016
【図１５】
2008077721.tif 000017
【図１６】
2008077721.tif 000018